(57)【要約】【課題】受信しようとする電波に対して最良の指向性にアンテナを速やかに設定する。【解決手段】本体２の周囲の互いに異なる第１の方向から本体２に到来するＵＨＦ帯の電波を受信するように本体２内に配置されたアンテナ８ａ乃至８ｄを、組み合わせることによって、各第１の方向の間にある互いに異なる第２の方向から本体２に向かって到来するＵＨＦ帯の電波を受信する。本体２に配置された開閉スイッチ２６ａ乃至２６ｄが、アンテナ８ａ乃至８ｄ単体の出力と、各組合せ出力とのうち、１つを選択して出力する。本体２とは別個に形成されたアンテナコントローラ６４ａが、開閉スイッチ２６ａ乃至２６ｄへの選択制御信号を供給する。アンテナコントローラ６４ａは、遠隔制御器６４ｂの操作子８８ａが操作されるごとに、本体２の回りに時計方向に順に電波を受信する方向が変化するように選択制御信号を生成し、操作子８８ｂが操作されるごとに、本体２の回りに反時計方向に順に電波を受信する方向が変化するように選択制御信号を生成する。【選択図】        図１
2004173062.tif 000002
【特許請求の範囲】
【請求項１】
本体と、
この本体の周囲の互いに異なる第１の方向から前記本体に向かって到来する第１の周波数帯の電波を受信するように、前記本体内に配置された複数のアンテナであって、これらアンテナを組み合わせることによって、前記各第１の方向の間にある互いに異なる第２の方向から前記本体に向かって到来する第１の周波数帯の電波を受信する複数の第１のアンテナと、
前記本体内に配置され、前記各第１のアンテナ単体の出力と、前記第１のアンテナの各組合せ出力とのうち、１つを選択して出力する第１の選択手段と、
前記本体とは別個に形成され、前記第１の選択手段への選択制御信号を前記第１の選択手段に供給する制御手段とを、
具備し、前記制御手段は、第１及び第２の操作子を有し、第１の操作子が操作されるごとに、前記本体の回りに時計方向に順に前記第１の周波数帯の電波を受信する方向が変化するように前記選択制御信号を生成し、第２の操作子が操作されるごとに、前記本体の回りに反時計方向に順に前記第１の周波数帯の電波を受信する方向が変化するように前記選択制御信号を生成する
アンテナシステム。
【請求項２】
請求項１記載のアンテナシステムにおいて、前記本体内に、前記第１の選択手段によって選択された前記アンテナ単体または前記アンテナ組合せ出力のレベル調整手段が設けられ、前記制御手段は、第３の操作子を有し、かつ、第３の操作子が操作されたとき、前記レベル調整手段の動作を指示する信号を前記レベル調整手段に供給するアンテナシステム。
【請求項３】
請求項１記載のアンテナシステムにおいて、前記制御手段は、前記操作子の操作に応じて光信号を送信する操作手段と、この操作手段とは別個に設けられ、前記光信号を受信して、前記選択制御信号を前記本体部に供給する送信手段とを、具備するアンテナシステム。
【請求項４】
請求項１記載のアンテナシステムにおいて、前記本体内には、この本体の周囲の互いに異なる第１の方向から前記本体に向かって到来する第２の周波数帯の電波を受信するように、前記本体内に配置された複数のアンテナであって、これらアンテナを組み合わせることによって、前記各第１の方向の間にある互いに異なる第２の方向から前記本体に向かって到来する第２の周波数帯の電波を受信する複数の第２のアンテナと、
前記本体内に配置され、前記各第２のアンテナ単体の出力と、前記第２のアンテナの各組合せ出力とのうち、１つを選択して出力する第２の選択手段とが、
設けられ、前記制御手段は、第１の操作子が操作されるごとに、前記本体の回りに時計方向に順に前記第１及び第２の周波数帯の電波を受信する方向が変化するように第１及び第２の選択手段用に、選択制御信号を生成し、第２の操作子が操作されるごとに、前記本体の回りに反時計方向に順に前記第１及び第２の周波数帯の電波を受信する方向が変化するように第１及び第２の選択手段用に、前記選択制御信号を生成する
アンテナシステム。
【請求項５】
請求項２記載のアンテナシステムにおいて、前記本体と前記制御手段との間に設けられ、前記本体から前記第１のアンテナ単体の出力または第１のアンテナの組合せ出力を前記制御手段に伝送し、前記制御手段から前記本体に前記レベル調整手段動作電源を供給する伝送路に、前記制御手段は、前記選択制御信号を、前記動作電源電圧を変化させることによって供給する
アンテナシステム。
【請求項６】
請求項２記載のアンテナシステムにおいて、前記伝送路に、前記制御手段は、前記レベル調整手段の動作を指示する信号としてトーン信号を伝送するアンテナシステム。
【請求項７】
請求項１または５記載のアンテナシステムにおいて、前記制御手段は、第１及び第２の操作子の操作に応じてパルス信号を発生するパルス信号発生手段と、このパルス信号をカウントするカウント手段と、このカウント値に応じて前記選択制御信号を発生する選択手段制御手段とを有し、前記パルス信号発生手段は、第１の操作子が操作されるごとに、１発のパルス信号を発生し、第２の操作子が操作されるごとに、第１及び第２の方向の合計数よりも１だけ少ない数だけパルス信号を発生する
アンテナシステム。
【請求項８】
本体と、
この本体の周囲の互いに異なる第１の方向から前記本体に向かって到来する電波を受信するように、前記本体内に配置された複数のアンテナであって、これらアンテナを組み合わせることによって、前記各第１の方向の間にある互いに異なる第２の方向から前記本体に向かって到来する電波を受信する複数のアンテナと、
前記本体内に配置され、前記各アンテナ単体の出力と、前記各アンテナの各組合せ出力とのうち、１つを選択制御信号に応動して選択して出力する選択手段と、
前記本体とは別個に形成され、前記選択手段からの出力を受信、復調するチューナとを、
具備し、前記チューナは、受信しようとする複数の放送チャンネルそれぞれに対応させて、これら放送チャンネルの電波を受信するために前記選択手段に供給する前記各選択制御信号を記憶させた記憶手段を有し、前記チューナは、いずれかの前記放送チャンネルが選択されたとき、前記記憶手段から、選択された放送チャンネルに対応する前記選択制御信号を読み出して、前記第１の選択手段に供給する
アンテナシステム。
【請求項９】
請求項８記載のアンテナシステムにおいて、前記本体内には、前記本体内に、前記選択手段によって選択された前記アンテナ単体または前記アンテナ組合せ出力に対するレベル調整手段が設けられ、前記記憶手段には、前記各選択制御信号に加えて、前記レベル調整手段の制御状態を指示するレベル制御信号も、受信しようとする複数の放送チャンネルそれぞれに対応させて記憶され、前記チューナは、いずれかの前記放送チャンネルが選択されたとき、前記記憶手段から、選択された前記放送チャンネルに対応する前記レベル制御信号を読み出して、前記レベル調整手段に供給する
アンテナシステム。
【請求項１０】
請求項８記載のアンテナシステムにおいて、前記各選択制御信号は、受信する放送チャンネルがデジタルテレビジョン放送の場合、前記チューナによって生成されるビットエラーレートに基づいて決定され、受信する放送チャンネルがアナログテレビジョン放送の場合、前記チューナにおける受信レベルに基づいて決定されるアンテナシステム。
【請求項１１】
請求項８記載のアンテナシステムにおいて、前記本体と前記チューナとの間に設けられ、前記本体から前記第１のアンテナ単体の出力または第１のアンテナの組合せ出力を前記チューナに伝送する伝送路を介して、前記チューナは、前記選択制御信号を伝送するアンテナシステム。
【発明の詳細な説明】
【０００１】
【発明の属する技術分野】
本発明は、アンテナシステムに関し、特に、複数のアンテナを有し、その組合せを変化させることによって、指向性を変化させるアンテナシステムに関する。
【０００２】
【従来の技術】
従来、上記のようなアンテナシステムとしては、例えば特許文献１に開示されたようなものがある。
【０００３】
【特許文献１】
特開２００１−３６３２７号公報
【０００４】
このアンテナシステムは、互いの指向性が９０度ずつ隔てて異なる方向を向くように配置された４つのアンテナＡ乃至Ｄを有し、各アンテナ単体の出力及び隣接する２つのアンテナを組合せた各出力のうち１つを選択する選択手段が設けられている。この選択手段に、指向性制御用パルス発生装置が、上記選択のための４ビットの選択制御信号を供給する。この指向性制御用パルス発生装置が備える指向性切換スイッチを操作するごとに選択制御信号の値が「１０００」、「１１００」、「０１００」、「０１１０」、「００１０」、「００１１」、「０００１」、「１００１」、「１０００」のように循環して変化する。これに従って、例えばアンテナＡ単体の出力、アンテナＡとＢの合成出力、アンテナＢ単体の出力、アンテナＢとＣの合成出力、アンテナＣ単体の出力、アンテナＣとＤの合成出力、アンテナＤの出力、アンテナＡとＤの合成出力、アンテナＡの単体出力のように、選択されるアンテナの出力が変化し、例えばアンテナの周囲における時計方向に沿って、指向性が順に切り換えられる。
【０００５】
【発明が解決しようとする課題】
しかし、このアンテナシステムでは、指向性制御用パルス発生装置は、４ビットの制御信号の値を上述した順にしか変化させることができず、指向性の切換が一定の方向に沿ってしか行うことができない。従って、或る電波を最良に受信することができる方向にアンテナの指向性を向けるために、順にアンテナの指向性を変化させている最中に、例えば現在の指向性よりも前回の指向性の方が良好であることが判明しても、直ちに前回の指向性に戻すことができず、指向性の切換を一巡させる必要がある。そのため、速やかに最良の指向性に切り換えることができなかった。
【０００６】
また、このアンテナシステムでは、指向性の切換と、受信しようとする電波の周波数との間には、対応関係がない。従って、或る電波を受信しようとするときに必要なアンテナ指向性と、別の電波を受信しようとするときに必要なアンテナ指向性とが異なる場合、異なる電波を受信するたびに、指向性切換スイッチを、所定の指向性となるように操作しなければならず、速やかに最良の指向性に設定する作業が面倒であった。
【０００７】
本発明は、速やかに最良の指向性に設定することができるアンテナシステムを提供することを目的とする。
【０００８】
【課題を解決するための手段】
本発明の第１の態様によるアンテナシステムでは、指向性を変化させるために選択手段に供給する選択制御信号の変化の方向を、第１及び第２の操作子の操作によって任意に変化させるように構成している。即ち、第１の態様のアンテナシステムは、本体を有している。この本体の周囲の互いに異なる第１の方向から本体に向かって到来する第１の周波数帯の電波を受信するように、本体内に複数の第１のアンテナが配置されている。第１の周波数帯としては、例えばＵＨＦまたはＶＨＦ帯を使用することができ、具体的には、ＵＨＦ帯またはＶＨＦ帯のテレビジョン放送の電波を使用することができる。これらアンテナは指向性を有し、これらを組み合わせることによって、各第１の方向の間にある互いに異なる第２の方向から本体に向かって到来する第１の周波数帯の電波を受信することが可能である。本体内に第１の選択手段が配置されている。第１の選択手段は、各第１のアンテナ単体の出力と、第１のアンテナの各組合せ出力とのうち、１つを選択して出力する。本体とは別個に制御手段が形成されている。この制御手段は、第１の選択手段への選択制御信号を第１の選択手段に供給する。制御手段は、第１及び第２の操作子を有している。制御手段は、第１の操作子が操作されるごとに、本体の回りに時計方向に順に電波を受信する方向が変化するように選択制御信号を生成し、第２の操作子が操作されるごとに、本体の回りに反時計方向に順に前記電波を受信する方向が変化するように選択制御信号を生成する。
【０００９】
このように構成したアンテナシステムでは、第１の操作子を操作することによって、指向性を時計方向に順に切り換えることができ、第２の操作子を操作することによって、指向性を反時計方向に順に切り換えることができる。従って、例えば時計方向に指向性を切り換えている途中で、反時計方向に切り換えることによって、前に切り換えた指向性に容易に切り換えることができ、電波を最良に受信することができる指向性に容易に切り換えることができる。
【００１０】
本体内に、第１の選択手段によって選択されたアンテナ単体またはアンテナ組合せ出力のレベル調整手段を設けることができる。レベル調整手段としては、例えば増幅器または可変減衰器を使用することができる。制御手段は、第３の操作子を有し、かつ、第３の操作子が操作されたとき、レベル調整手段の動作を指示する信号をレベル調整手段に供給する。
【００１１】
このように構成すると、例えば電波の受信レベルが大きすぎる場合や小さすぎる場合に、第３の操作子の操作によって受信レベルを適正に調整することができる。
【００１２】
制御手段は、操作子の操作に応じて光信号を送信する操作手段と、この操作手段とは別個に設けられ、光信号を受信して、選択制御信号を本体部に供給する送信手段とを、具備するものとできる。操作子としては、第１及び第２の操作子の他、第３の操作子も使用することができる。
【００１３】
このように構成した場合、操作子が設けられた操作手段を、送信手段とは離れた位置に配置することができ、いわゆる遠隔制御を行うことができる。
【００１４】
本体内には、第２のアンテナを設けることもできる。第２のアンテナは、この本体の周囲の互いに異なる第１の方向から本体に向かって到来する第２の周波数帯の電波を受信するように、本体内に配置されている。第２の周波数帯としては、ＵＨＦまたはＶＨＦ帯を使用することができ、具体的にはテレビジョン放送の電波を使用することができる。これら第２のアンテナも指向性を有し、これらを組み合わせることによって、各第１の方向の間にある互いに異なる第２の方向から本体に向かって到来する第２の周波数帯の電波を受信する。本体内に第２の選択手段が配置されている。第２の選択手段は、各第２のアンテナ単体の出力と、第２のアンテナの各組合せ出力とのうち、１つを選択して出力する。制御手段は、第１の操作子が操作されるごとに、前記本体の回りに時計方向に順に第１及び第２の周波数帯の電波を受信する方向が変化するように第１及び第２の選択手段用に、選択制御信号を生成し、第２の操作子が操作されるごとに、本体の回りに反時計方向に順に第１及び第２の周波数帯の電波を受信する方向が変化するように第１及び第２の選択手段用に、前記選択制御信号を生成する。
【００１５】
このように構成することによって、異なる周波数帯の電波それぞれを、最良の受信状態で受信することができる。
【００１６】
本体と制御手段との間に伝送路が設けられる。この伝送路は、本体から第１のアンテナ単体の出力または第１のアンテナの組合せ出力を制御手段に伝送し、制御手段から本体にレベル調整手段動作電源を供給する。この伝送路に、制御手段は、選択制御信号を、前記動作電源電圧を変化させることによって供給する。
【００１７】
このように電源電圧を変化させることによって、選択制御信号を生成しているので、回路構成を簡略化することができる。
【００１８】
更に、制御手段は、レベル調整手段の動作を指示する信号としてトーン信号を伝送する。
【００１９】
例えば、伝送路を伝送される動作電源電圧の変化によってもレベル調整手段の動作を指示する信号を伝送することも可能であるが、複数の受信方向それぞれの選択制御信号に対応するように動作電源電圧を変化させる必要がある上に、レベル調整手段の動作指示も動作電源電圧の変化によって表そうとすると、動作電源電圧の変化を複雑に行わなければならない。これに対して、レベル調整手段の動作指示をトーン信号によって行うと、動作電源電圧の変化は、選択制御信号のみを表せばよいので、複雑に動作電源電圧を変化させる必要が無くなる。
【００２０】
制御手段は、第１及び第２の操作子の操作に応じてパルス信号を発生するパルス信号発生手段と、このパルス信号をカウントするカウント手段と、このカウント値に応じて前記選択制御信号を発生する選択手段制御手段とを有するものとできる。カウント手段は、第１及び第２の方向の合計数に対応するカウント値までカウントすると、次にパルス信号が供給されたとき、初期値にカウント値が戻るものとすることが望ましい。パルス信号発生手段は、第１の操作子が操作されるごとに、１発のパルス信号を発生し、第２の操作子が操作されるごとに、第１及び第２の方向の合計数よりも１だけ少ない数だけパルス信号を発生する。
【００２１】
本発明の第２の態様のアンテナシステムでは、受信チャンネルとアンテナの指向性とを対応させて、記憶手段に記憶させ、受信チャンネルの選択に対応して、指向性を切り換えるように構成してある。即ち、第２の態様のアンテナシステムも、第１の態様のアンテナシステムと同様に、本体と、第１のアンテナと、選択手段とを有している。さらに、この態様のアンテナシステムは、チューナを有している。チューナは、本体とは別個に形成され、選択手段からの出力を受信、復調する。チューナは、例えばテレビジョン放送受信用のものとすることができ、アナログテレビジョン放送、デジタルテレビジョン放送またはこれら両放送を受信することができるものとすることができる。チューナは、テレビジョン受信機に内蔵することもできるし、或いはテレビジョン受信機とは別個のものとすることもできる。チューナは、記憶手段を有している。記憶手段は、受信しようとする複数の放送チャンネルそれぞれに対応させて、これら放送チャンネルの電波を受信するために選択手段に供給する選択制御信号を記憶している。いずれかの放送チャンネルがチューナにおいて選択されたとき、記憶手段から、選択された放送チャンネルに対応する選択制御信号が読み出され、選択手段に供給される。
【００２２】
このように構成すると、或る放送チャンネルを受信しようと、或る放送チャンネルをチューナにおいて指定すると、指定された放送チャンネルの電波の到来方向から、この指定された放送チャンネルの電波を良好に受信できるように、アンテナが切り換えられる。従って、アンテナの切換とチャンネルの切換とを、別個に行う必要が無く、作業性が向上する。
【００２３】
選択手段によって選択されたアンテナ単体またはアンテナ組合せ出力に対するレベル調整手段が、本体内に設けられている。レベル調整手段としては、増幅器または可変減衰器が使用できる。記憶手段には、各選択制御信号に加えて、レベル調整手段の制御状態を指示するレベル制御信号も、受信しようとする複数の放送チャンネルそれぞれに対応させて記憶されている。チューナにおいて、いずれかの放送チャンネルが選択されたとき、記憶手段から選択されたチャンネルに対応するレベル制御信号が読み出され、レベル調整手段に供給される。
【００２４】
このように構成すると、レベル調整手段が、受信している電波を最良に受信できるようにレベルを調整する。
【００２５】
各選択制御信号は、受信する放送チャンネルがデジタルテレビジョン放送の場合、チューナによって生成されるビットエラーレートに基づいて決定され、受信する放送チャンネルがアナログテレビジョン放送の場合、チューナにおける受信レベルに基づいて決定される。
【００２６】
デジタルテレビジョン放送の場合、これを良好に視聴することができるか否かは、チューナにおいて得られたビットエラーレートに関連する。また、アナログテレビジョン放送の場合、これを良好に視聴することができるか否かは、チューナにおいて得られた受信信号レベルに関連する。従って、これらビットエラーレート及び受信信号レベルが最良になるように、各選択制御信号が決定されている。
【００２７】
本体とチューナとの間に伝送路が設けられる。この伝送路は、本体からアンテナ単体の出力またはアンテナの組合せ出力をチューナに伝送する。この伝送路を介して、チューナは、選択制御信号を伝送する。伝送路に選択制御信号を伝送するために、選択制御信号を搬送波で変調した変調信号を出力する変調手段を設け、本体に変調信号を選択制御信号に復調する復調手段を設けることもできる。
【００２８】
このように構成すると、伝送路を介して選択制御信号を伝送することができるので、選択制御信号の伝送路を別に設ける必要が無い。
【００２９】
【発明の実施の形態】
本発明の第１実施形態のアンテナシステムは、例えばＵＨＦ帯及びＶＨＦ帯のテレビジョン放送信号を受信するためのもので、図５に示すように、アンテナ１を有している。このアンテナ１は、本体２を有し、この本体２は、概略八角形状に形成された偏平なものである。この本体２は、図６に拡大して示すように、９０度間隔ごとに若干凸に湾曲した凸縁部４ａ乃至４ｄを有している。さらに、本体２は、凸縁部４ａ乃至４ｄ間それぞれを繋ぐように、凹に湾曲した凹縁部６ａ乃至６ｄを有している。
【００３０】
本体２内に、複数組、例えば４組の第１周波数帯、例えばＵＨＦ帯用八木形アンテナ８ａ乃至８ｄが配置されている。これら八木形アンテナ８ａ乃至８ｄは、４７０ＭＨｚ乃至８６０ＭＨｚのＵＨＦ帯でのアメリカテレビジョン放送受信用のものである。これら八木形アンテナ８ａ乃至８ｄのうち２つの八木形アンテナ８ａ、８ｃは、１つの平面、例えば水平面上において、対向する２つの凸縁部４ａ、４ｃ間を繋ぐ直線１０ａに沿って配置されている。残りの２つの八木形アンテナ８ｂ、８ｄは、上記水平平面とは異なる高さ位置、例えば下側位置にある水平面上に、上記直線１０ａと直交する直線１０ｂに沿って配置されている。この状態を概略的に図８に示す。
【００３１】
八木形アンテナ８ａ、８ｃは、図６に示すように、凸縁部４ａ、４ｃの近傍の本体２内に、導波器１２ａ、１２ｃを有している。導波器１２ａ、１２ｃは、共に同じ大きさの平板状に形成され、その表面が水平に位置するように、かつ直線１０ａ上にこれと直交するように配置されている。
【００３２】
導波器１２ａ、１２ｃよりも更に内側の位置に放射器１４ａ、１４ｃが配置されている。これら放射器１４ａは、直線１０ａの両側に給電点をそれぞれ有している。放射器１４ａは、これら給電点から直線１０ａにほぼ直交するように、それぞれ外方に向かって伸延し、凹縁部６ａ、６ｄの近傍において内側に湾曲させられ、そのまま凹縁部６ａ、６ｄに沿って凸縁部４ｂ、４ｄの近傍まで伸延している。放射器１４ｃも、同様に構成されている。即ち、放射器１４ａ、１４ｃは、概略八の字状をなしている。このように湾曲させることによって、狭い本体２内においても所定の長さを、各放射器１４ａ、１４ｃは確保している。これら放射器１４ａ、１４ｃも、平板状であり、導波器１２ａ、１２ｃがその表面を水平に配置されていたのに対し、表面が垂直に配置されている。但し、図７（ｂ）に示すように、その上縁部は、導波器１２ａ、１２ｃとほぼ同一の高さ位置にある。このように導波器１２ａ、１２ｃをその表面が垂直になるように配置しているのは、導波器１２ａ、１２ｃの曲げ加工を容易にするためである。
【００３３】
放射器１４ａ、１４ｃよりも更に内側位置に、反射器１６ａ、１６ｃが配置されている。これら反射器１６ａは、直線１０ａの両側に直線部を有し、この直線部の内方端部から導波器１２ａ側に向かって湾曲した湾曲部を有している。反射器１６ｃも、同様に構成されている。このように中央部を導波器１２ａ、１２ｃ側に湾曲させているので、狭い本体２内においても所定の長さを確保することができる。これら反射器１６ａ、１６ｃも平板状に形成され、図７（ｃ）に示すように、導波器１２ａ、１２ｃと同一の高さ位置に配置されている。
【００３４】
八木形アンテナ８ｂ、８ｄも、八木形アンテナ８ａ、８ｃと同様に導波器１２ｂ、１２ｄ、放射器１４ｂ、１４ｄ、反射器１６ｂ、１６ｄを有している。但し、八木形アンテナ８ａ、８ｃとは直交するように非接触状態に配置され、かつ図８に示すように、八木形アンテナ８ａ、８ｃよりも下側の位置に配置されている。
【００３５】
この場合、図７（ａ）に示すように、放射器１４ａと１４ｂ、１４ｂと１４ｃ、１４ｃと１４ｄ、１４ｄと１４ａが、それぞれ非接触状態で一部交差する。同様に、反射器１６ａは、反射器１６ｂ、１６ｄと非接触状態で一部交差し、反射器１６ｂは、反射器１６ａ、１６ｃと非接触状態で一部交差し、反射器１６ｃは、反射器１６ｂ、１６ｄと非接触状態で一部交差し、反射器１６ｄは、１６ｃ、１６ａと非接触状態で一部交差する。更に、反射器１６ａは、放射器１４ｂ、１４ｄ、導波器１２ｂ、１２ｄと非接触状態で一部交差し、反射器１６ｂは放射器１４ａ、１４ｃ、導波器１２ａ、１２ｃと非接触状態で一部交差し、反射器１６ｃは放射器１４ｂ、１４ｄ、導波器１２ｂ、１２ｄと非接触状態で一部交差し、反射器１６ｄは、放射器１４ｃ、１４ａ、導波器１２ｃ、１２ａと非接触状態で一部交差する。
【００３６】
このように交差させることによって狭いスペースの本体２内に４組の八木形アンテナ８ａ乃至８ｄを設置している。しかし、八木形アンテナ８ａ、８ｃと、８ｂ、８ｄとを高さ寸法が異なる位置に配置しているので、各八木形アンテナ８ａ乃至８ｄが互いに干渉することがなく、特性に大きな乱れは生じない。さらに、隣接している八木形アンテナ、例えば、八木形アンテナ８ａと８ｂとは、異なる高さ位置に設けられているので、隣接する八木形アンテナ同士が互いに干渉することも殆どない。
【００３７】
また、上記のように各八木形アンテナ８ａ乃至８ｄを配置しているので、これら各八木形アンテナは、異なる方向、例えば各凸縁部４ａ乃至４ｄ方向から到来する電波をそれぞれ主に受信する。これら各八木形アンテナ８ａ乃至８ｄによって、１つのＵＨＦ帯用の組合せアンテナが構成されている。
【００３８】
本体２内には、４本以上の偶数本、例えば４本のロッドアンテナ１８ａ乃至１８ｄが配置されている。これらロッドアンテナ１８ａ乃至１８ｄは、八木形アンテナ８ａ、８ｃが設けられている面と、八木形アンテナ８ｂ、８ｄが設けられている面との間の一つの水平面内に配置されている。この面内における直線１０ａに沿って、ロッドアンテナ１８ａ、１８ｃが配置されている。この直線１０ａと直交する直線１０ｂに沿ってロッドアンテナ１８ｂ、１８ｄが配置されている。これらロッドアンテナ１８ａ乃至１８ｄは、図５に示すように凸縁部４ａ乃至４ｄそれぞれから外方に向かって伸張することができる。
【００３９】
これらロッドアンテナ１８ａ乃至１８ｄを用いて、これらロッドアンテナ数と同数のＶ字状アンテナが構成されている。即ち、ロッドアンテナ１８ａの内方端部には、図９（ａ）、（ｂ）に示すように、２つの給電端子２０ａ−１、２０ａ−２が設けられている。同様に、他のロッドアンテナ１８ｂ乃至１８ｄそれぞれにも、２つの給電端子２０ｂ−１、２０ｂ−２、２０ｃ−１、２０ｃ−２、２０ｄ−１、２０ｄ−２が設けられている。図９（ａ）に示すように、隣接するロッドアンテナ１８ａ、１８ｂの１つの給電端子２０ａ−１と２０ｂ−２とを用いて、ロッドアンテナ１８ａ、１８ｂに給電が行われる。同様に隣接するロッドアンテナ１８ｂ、１８ｃそれぞれの１つの給電端子２０ｂ−１、２０ｃ−２とを用いて、ロッドアンテナ１８ｂ、１８ｃに給電が行われる。以下、同様にロッドアンテナ１８ｃ、１８ｄに給電が行われ、ロッドアンテナ１８ｄ、１８ａに給電が行われる。
【００４０】
或いは、図９（ｂ）に示すように、同一直線上に位置するロッドアンテナ、例えばロッドアンテナ１８ａ、１８ｃによって１つのダイポールアンテナを構成し、ロッドアンテナ１８ｂ、１８ｄによってもう１つのダイポールアンテナを構成する。
【００４１】
各ロッドアンテナ１８ａ乃至１８ｄには、それぞれ２つの給電端子が設けられているので、１つのダイポールアンテナから２対の給電端子が導出されている。例えばロッドアンテナ１８ａ、１８ｃからなるダイポールアンテナの場合、給電端子２０ａ−１、２０ｃ−１と、給電端子２０ａ−２、２０ｃ−２とがある。これら２対の給電端子を利用することによって、１つのダイポールアンテナを、指向特性が互いに逆である２つのダイポールアンテナとして使用することができる。結局、ダイポールアンテナとして各ロッドアンテナを使用した場合にも、ロッドアンテナと同数のダイポールアンテナを使用しているのと等価な状態にできる。これらロッドアンテナ１８ａ乃至１８ｄによって、ＶＨＦ帯用の１つの組合せアンテナが構成されている。これらロッドアンテナ１８ａ乃至１８ｄは、５４ＭＨｚ乃至８８ＭＨｚ、１７４ＭＨｚ乃至２１６ＭＨｚのアメリカテレビジョン放送受信用のものである。
【００４２】
なお、以下、ロッドアンテナ１８ａ乃至１８ｄによって構成された４本のＶ字状アンテナまたはダイポールアンテナを、ＶＨＦ帯用アンテナ２２ａ乃至２２ｄと標記する。これらＶＨＦ態様アンテナ２２ａ乃至２２ｄが、第２の周波数帯用アンテナに相当する。八木形アンテナ８ａ乃至８ｄをＵＨＦ帯用アンテナ８ａ乃至８ｄと標記する。
【００４３】
図１及び図２に、ＶＨＦ帯用アンテナ２２ａ乃至２２ｄとＵＨＦ帯用アンテナ８ａ乃至８ｄを用いた受信システムを示す。図１は、本体２内に収容されている電気回路を示したものである。
【００４４】
ＵＨＦ帯用アンテナ８ａ乃至８ｄは、整合器２４ａ乃至２４ｄ及び選択手段、例えば開閉スイッチ２６ａ乃至２６ｄを介してハイパスフィルタ２８に接続されている。開閉スイッチ２６ａ乃至２６ｄは、例えばＰＩＮダイオードのような半導体装置を使用したもので、後述する選択制御信号が供給されたときに閉成され、選択制御信号が供給されていないときに開放される。ハイパスフィルタ２８は、例えばＵＨＦ帯のテレビジョン放送の最低周波数のチャンネル以上の周波数を通過させることができるように、遮断周波数が設定されている。
【００４５】
同様に、ＶＨＦ帯用アンテナ２２ａ乃至２２ｄは、整合器３０ａ乃至３０ｄ及び選択手段、例えば開閉スイッチ３２ａ乃至３２ｄを介してローパスフィルタ３２に接続されている。開閉スイッチ３２ａ乃至３２ｄは、開閉スイッチ２６ａ乃至２６ｄと同一のものである。ローパスパスフィルタ３４は、例えばＶＨＦ帯のテレビジョン放送の最高周波数のチャンネル以下の周波数を通過させることができるように、遮断周波数が設定されている。
【００４６】
これらフィルタ２８、３４の出力は、２つの並列経路３７ａ、３７ｂと直流阻止コンデンサ３６を介して端子３８に供給されている。端子３８は、後述する制御手段、例えばアンテナコントローラ６４に伝送線路、例えば同軸ケーブルによって接続されている。
【００４７】
並列経路３７ａは、直列に接続された経路開閉手段、例えば開閉スイッチ４０ａ、４０ｂからなる。これら開閉スイッチ４０ａ、４０ｂは、開閉スイッチ２６ａ乃至２６ｄと同様に構成され、閉成信号が供給されたとき閉成され、閉成信号が供給されていない状態で開放される。並列経路３７ｂは、レベル調整手段、例えばＵＨＦ帯及びＶＨＦ帯の全てのテレビジョン放送信号を増幅可能な広帯域増幅器４２を有し、その入力側及び出力側に経路開閉手段、例えば開閉スイッチ４４ａ、４４ｂを有している。開閉スイッチ４４ａ、４４ｂも、開閉スイッチ２６ａ乃至２６ｄと同様に構成され、閉成信号が供給されたとき閉成され、閉成信号が供給されていない状態で開放される。広帯域増幅器４２は、その出力が常に一定になるように自動利得調整されており、切換スイッチ４６を介して直流動作電源が供給されたときに動作する。この直流動作電源は、平滑回路４８が発生する。
【００４８】
平滑回路４８には、端子３８及び高周波阻止コイル５０を介して、アンテナコントローラ６４からの直流電源が供給されている。平滑回路４８は、これを平滑して、切換スイッチ４６に供給する。また、平滑回路４８は、スイッチ制御回路５４等の他の能動素子にも直流電源を供給している。切換スイッチ４６は、トーン検出器５２がトーン信号を検出したときに、トーン検出器５２の出力によって、動作電源を増幅器４２に供給するように切り換えられる。
【００４９】
また、トーン検出器５２がトーン信号を検出したときに、スイッチ制御回路５４が開閉スイッチ４４ａ、４４ｂに閉成信号を供給し、開閉スイッチ４０ａ、４０ｂには閉成信号を供給しない。従って、ハイパスフィルタ２８、３４からの出力信号は、増幅器４２によって増幅されて、端子３８に供給される。また、トーン検出器５２がトーン信号を非検出のとき、スイッチ制御回路５４は、開閉スイッチ４４ａ、４４ｂに閉成信号を非供給とし、開閉スイッチ４０ａ、４０ｂに閉成信号を供給する。従って、ハイパスフィルタ２８、３４からの出力信号は、増幅されずに、そのまま端子３８に出力される。なお、トーン信号は、コンデンサ５６、高周波阻止コイル５０及び端子３８を介してアンテナコントローラ６４からトーン検出器５２に供給される。
【００５０】
また、後述するように、アンテナコントローラ６４から端子３８には、パルス信号が供給され、これが、高周波阻止コイル５０を介してパルス検出器５８に供給され、検出される。このパルス信号がカウンタ６０においてカウントされる。このカウント値は、スイッチ制御回路６２に供給され、スイッチ制御回路６２は、各開閉スイッチ２６ａ乃至２６ｄ、３２ａ乃至３２ｄを制御する。このカウンタ６０は、カウント値０からカウント値７までカウントすると、再び０からカウントを開始するものである。
【００５１】
例えば、カウント値が「０」の場合、スイッチ制御回路６２は、開閉スイッチ２６ａ、３２ａのみに選択制御信号を供給し、アンテナ８ａ、２２ａの出力信号を端子３８に供給する。従って、本体２のＵＨＦ帯及びＶＨＦ帯のアンテナの指向性は、図３に示すようにＡの方向となる。
【００５２】
カウント値が「１」の場合、スイッチ制御回路６２は、開閉スイッチ２６ａ、２６ｂ、３２ａ、３２ｂのみに選択制御信号を供給し、アンテナ８ａ、８ｂの合成信号と、アンテナ２２ａ、２２ｂの合成信号を端子３８に供給する。従って、本体２のＵＨＦ帯及びＶＨＦ帯のアンテナの指向性は、図３に示すようにＢの方向となる。
【００５３】
カウント値が「２」の場合、スイッチ制御回路６２は、開閉スイッチ２６ｂ、３２ｂのみに選択制御信号を供給し、アンテナ８ｂ、２２ｂの出力信号を端子３８に供給する。従って、本体２のＵＨＦ帯及びＶＨＦ帯のアンテナの指向性は、図３に示すようにＣの方向となる。
【００５４】
カウント値が「３」の場合、スイッチ制御回路６２は、開閉スイッチ２６ｂ、２６ｃ、３２ｂ、３２ｃのみに選択制御信号を供給し、アンテナ８ｂ、８ｃの合成信号と、アンテナ２２ｂ、２２ｃの合成信号を端子３８に供給する。従って、本体２のＵＨＦ帯及びＶＨＦ帯のアンテナの指向性は、図３に示すようにＤの方向となる。
【００５５】
カウント値が「４」の場合、スイッチ制御回路６２は、開閉スイッチ２６ｃ、３２ｃのみに選択制御信号を供給し、アンテナ８ｃ、２２ｃの出力信号を端子３８に供給する。従って、本体２のＵＨＦ帯及びＶＨＦ帯のアンテナの指向性は、図３に示すようにＥの方向となる。
【００５６】
カウント値が「５」の場合、スイッチ制御回路６２は、開閉スイッチ２６ｃ、２６ｄ、３２ｃ、３２ｄのみに選択制御信号を供給し、アンテナ８ｃ、８ｄの合成信号と、アンテナ２２ｃ、２２ｄの合成信号を端子３８に供給する。従って、本体２のＵＨＦ帯及びＶＨＦ帯のアンテナの指向性は、図３に示すようにＦの方向となる。
【００５７】
カウント値が「６」の場合、スイッチ制御回路６２は、開閉スイッチ２６ｄ、３２ｄのみに選択制御信号を供給し、アンテナ８ｄ、２２ｄの出力信号を端子３８に供給する。従って、本体２のＵＨＦ帯及びＶＨＦ帯のアンテナの指向性は、図３に示すようにＧの方向となる。
【００５８】
カウント値が「７」の場合、スイッチ制御回路６２は、開閉スイッチ２６ａ、２６ｄ、３２ａ、３２ｄのみに選択制御信号を供給し、アンテナ８ａ、８ｄの合成信号と、アンテナ２２ａ、２２ｄの合成信号を端子３８に供給する。従って、本体２のＵＨＦ帯及びＶＨＦ帯のアンテナの指向性は、図３に示すようにＨの方向となる。
【００５９】
このように選択制御信号の変化に従って、アンテナ単体の出力とアンテナの合成出力とのうち１つが端子３８に供給される。これによって、本体２の回りに順にＵＨＦ帯及びＶＨＦ帯のアンテナの指向性が８つの方向に変化する。各アンテナ単体が持つ指向性が本体２の回りに所定間隔に位置する第１の方向から到来する電波を受信するためのものであり、アンテナを組み合わせて得た指向性が、各第１の方向の間に位置する第２の方向からの電波を受信するためのものである。
【００６０】
図１は、アンテナコントローラ６４を示したもので、アンテナコントローラ６４は、送信手段、例えばコントローラ本体６４ａと、操作手段、例えば遠隔制御器６４ｂとを備えている。
【００６１】
コントローラ本体６４ａは、端子６６を有し、この端子６６は、上述したように同軸ケーブルを介して本体２の端子３８に接続されている。この端子６６は、コンデンサ６８を介して端子７０に接続されている。この端子７０は、同軸ケーブルを介してテレビジョン受像機に接続されている。従って、アンテナ１からの受信信号は、テレビジョン受像機に供給される。
【００６２】
コントローラ本体６４ａには、さらに、本体２内の増幅器４２用の直流動作電源７２が設けられている。この直流動作電源７２は２つの異なる電圧、例えば１０Ｖと８Ｖとの直流電圧が発生する端子７２ａと７２ｂとを有している。これら端子７２ａ、７２ｂのうちパルス発生用スイッチ７４によって選択されたものが、高周波阻止コイル７６を介して端子６６に接続されている。従って、パルス発生用スイッチ７４が端子７２ａに接続されていると、図４（ａ）に示すように、直流電圧が増幅器４２用に本体２に供給される。
【００６３】
パルス発生用スイッチ７４は、信号処理部７８から供給されるパルス状の開閉信号に従って端子７２ａと７２ｂとのいずれかに切り換えられる。信号処理部７８は、本体２内のカウンタ６０のカウント値を「１」とする場合には、パルス発生用スイッチ７４を端子７２ａに接続されている状態から、端子７２ｂ側に接続されている状態に切り換え、その後に端子７２ａに接続される状態に切り換える。同様に、信号処理部７８は、本体２内のカウンタ６０のカウント値を「２」とする場合には、パルス発生用スイッチ７４を、端子７２ａに接続されている状態から、端子７２ｂ側に接続されている状態に切り換え、その後に端子７２ａに接続される状態に切り換え、再び端子７２ｂ側に接続されている状態に切り換え、更に端子７２ａに接続される状態に切り換える。以下、同様に、直流動作電源７２からの電圧を１０Ｖと８Ｖとの間で変化させることによって、カウンタ６０用のパルス信号が発生される。このパルス状の切換信号は、例えば４００ＫＨｚ以上の周波数を持つものであり、直流動作電源７２からの電圧を変更しても、増幅器４２の動作に支障は生じない。図４（ｂ）に直流動作電源７２からの電圧が変更されている状態を示す。
【００６４】
また、コントローラ本体６４ａ内には、トーン信号発生器８０が設けられており、図４（ｃ）に示すように例えば４ＫＨｚのトーン信号を発生している。このトーン信号は、開閉スイッチ８２、コンデンサ８４及び高周波阻止コイル７６を介して端子６６に供給される。従って、開閉スイッチ８２が閉成されているとき、トーン信号は図４（ｄ）に示すように直流動作電源に重畳されて、本体２に伝送され、トーン信号検出器５２によって検出される。開閉スイッチ８２は、信号処理部７８から閉成信号が供給されている期間、閉成される。なお、トーン信号が直流動作電源に重畳され、かつ直流動作電圧が変化させられている状態における端子３８の電圧を図４（ｅ）に示す。また、トーン信号が重畳されていない状態における端子３８の電圧を図４（ｆ）に示す。
【００６５】
信号処理部７８は、遠隔制御器６４ｂから送信された光信号、例えば赤外線信号を受信部８６が受信した受信信号に基づいて、パルス発生用スイッチ７４、開閉スイッチ８２を制御する。
【００６６】
遠隔制御器６４ｂは、４つの操作子、例えば押釦スイッチ８８ａ乃至８８ｄを有している。これら押釦スイッチ８８ａ乃至８８ｄは、信号処理部９０に接続されている。信号処理部９０は、これらスイッチ８８ａ乃至８８ｄの操作に従って送信部９４から受信部８６に向けて赤外線信号を送信する。
【００６７】
例えば押釦スイッチ８８ａは、本体２のアンテナ１の指向性を時計方向、例えば右回りに変化させるためのスイッチで、この押釦スイッチ８８ａを押すごとに、コントローラ本体６４ａの信号処理部７８は、パルス発生用スイッチ７４を１度切り換える。従って、押釦スイッチ８８ａが、２度続けて押されると、パルス発生用スイッチ７４は、２度切り換えられる。
【００６８】
押釦スイッチ８８ｂは、本体２のアンテナの指向性を反時計方向、例えば左回りに変化させるためのスイッチで、この押釦スイッチ８８ａを押すごとに、コントローラ本体６４ａの信号処理部７８は、パルス発生用スイッチ７４を７度切り換える。従って、本体２のカウンタ６０のカウント値は７つ増加する。例えば、本体２のＵＨＦ帯及びＶＨＦ帯のアンテナの指向性がＡの方向にある状態で、カウント値が７つ増加すると、指向性はＨに変化する。このようにカウント値を、変化させようとする指向性の合計数である８よりも１だけ小さい数である７つ増加させることによって、左回りにＵＨＦ帯及びＶＨＦ帯のアンテナの指向性を変化させている。
【００６９】
押釦スイッチ８８ｃは、本体２の増幅器４２を動作させるためのもので、このスイッチ８８ｃが操作されると、信号処理部７８が開閉スイッチ８２を閉成し、トーン信号が本体２に送信され、上述したように増幅器４２に動作電源が供給され、かつ増幅器４２の入出力側にある開閉スイッチ４４ａ、４４ｂが閉成される。この状態において、押釦スイッチ８８ｄが操作されると、信号処理部７８が開閉スイッチ８２を開放し、トーン信号の送出が停止される。その結果、増幅器４２の動作電源の供給が停止され、開閉スイッチ４４ａ、４４ｂが開放され、代わりに開閉スイッチ４０ａ、４０ｂが閉成される。
【００７０】
なお、信号処理部７８は、押釦スイッチ８８ａ、８８ｂの操作に応じて表示用カウント信号も生成し、これがカウンタ９６によってカウントされ、そのカウント値の変化に従って表示部９８の表示が変化する。表示部９８には、本体２内の両アンテナの指向性の方向に合わせて８つの表示素子、例えばＬＥＤ９８ａ乃至９８ｈが配置され、カウント値に応じて点灯するＬＥＤが変化する。これによって、両アンテナの現在の指向性がどの方向を向いているかが判明する。
【００７１】
このように構成されたアンテナシステムでは、遠隔制御器６４ｂの４つの押釦スイッチ８８ａ、８８ｂを操作することによって、両アンテナの指向性を右回りにでも左回りにでも任意に変更することができるし、今までの右回りに指向性を変化させていたのを、逆に途中から左回りに指向性を変化させることもできる。さらに、押釦スイッチ８８ｃ、８８ｄの操作によって本体２内の増幅器４２を動作させている状態と、動作させていない状態とに容易に変更することができる。例えば、受信しようとする電波の受信レベルが小さい場合には、増幅器４２を動作させることによって受信レベルを大きくすることができ、逆に増幅器４２を動作させると受信レベルが大きくなりすぎる場合には、増幅器４２を停止させる。上記の実施の形態では、２種類の電圧を直流電源７２が発生するように構成し、これら２種類の電圧を切り換えることによってパルス信号を発生したが、これに限ったものではなく、例えば１種類の電圧を発生するように直流電源７２を構成し、この電圧を断続するように構成することもできる。
【００７２】
本発明の第２の実施の形態のアンテナシステムは、図１０に示すように、第１の実施の形態で示した本体２と、チューナ１００とを備えたものである。
【００７３】
チューナ１００は、アンテナから供給されたＵＨＦ帯またはＶＨＦ帯のテレビジョン放送信号のうち所望のものを信号処理部１０２で受信復調するもので、記憶手段、例えばメモリ１０４には、各受信チャンネルと、この受信チャンネルを受信するために必要なアンテナ１の指向性とのデータが、対応させて記憶させてある。そして、或る受信チャンネルを信号処理部１０２が受信するようにメモリ１０４から或る受信チャンネルのデータを読み出した際に、これに対応するアンテナ１の指向性の方向データも読み出される。このデータは、モジュラー１０６を介してインターフェースユニット１０８のモジュラー１１０に供給される。このモジュラー１１０からのデータは、バッファ１１２を介してＦＳＫ変調器１１４に供給され、ここでＦＳＫ変調信号に変換され、このＦＳＫ変調信号のみを通過させる帯域通過フィルタ１１６、直流阻止コンデンサ１１８、端子１２０、伝送路、例えば同軸ケーブル１２２を介して本体２の端子３８に供給される。
【００７４】
このＦＳＫ変調信号は、直流阻止コンデンサ３６を介して帯域通過フィルタ１２４を介してＦＳＫ復調器１２６に供給され、データに復調され、ＣＰＵ１２８に供給される。このデータ１２８に基づいて開閉スイッチ２６ａ乃至２６ｄ、３２ａ乃至３２ｄが開閉制御され、チューナ１００において受信しようとするチャンネルにおいて最良の受信状態となる指向性にＵＨＦ帯またはＶＨＦ帯のアンテナの指向性が制御される。なお、このようにして指向性が調整されたＵＨＦ帯またはＶＨＦ帯のアンテナの受信信号は、経路３７ａまたは３７ｂ、ハイパスフィルタ１２９、直流阻止コンデンサ３６、端子３８、同軸ケーブル１２２を介してインターフェースユニット１０８の端子１２０に供給される、インターフェースユニット１０８内では、直流阻止コンデンサ１１８、ＶＨＦ帯以上の周波数を通過させるハイパスフィルタ１２９ａを経て端子１３１に受信信号は供給され、さらに同軸ケーブル１３３、チューナ１００の端子１３５を介して信号処理部１０２に供給される。
【００７５】
アンテナ１においては、第１の実施の形態と比較して、増幅器４２に代えてレベル調整手段、例えば可変利得増幅器４２ａが使用されている。この増幅器４２ａ、復調器１２６、ＣＰＵ１２８等への直流動作電源は、チューナ１００内に設けられており、モジュラー１０６、１１０を介してインターフェースユニット１０８に直流動作電圧が供給され、ここから高周波阻止コイル１３０、端子１２０、同軸ケーブル１２２を経て本体２の端子３８に供給される。端子３８に接続された高周波阻止コイル５０を介して平滑回路４８に直流動作電圧が供給され、平滑されて、増幅器４２ａに供給され、増幅器４２ａは、常に動作している。無論、第１の実施の形態と同様に、切換スイッチ４６等を設けて、必要なときだけ動作させるようにすることもできる。
【００７６】
この増幅器４２ａは、その利得がチューナ１００からのデータによって制御される。即ち、チューナ１００のメモリ１０４では、受信チャンネルとアンテナの指向性とを対応させるだけでなく、その受信チャンネルの際に増幅器４２ａに設定すべき利得を表すデータも受信チャンネルに対応させて、記憶されている。指向性のデータが読み出されたとき、利得データも読み出され、指向性のデータに関連して説明したのと同様にして、ＣＰＵ１２８に供給される。このデータを受けたＣＰＵ１２８は、増幅器４２ａの利得を受信データに対応するものに変更し、かつ開閉スイッチ４４ａ、４４ｂを閉成する。また、受信データが非増幅を表している際には、開閉スイッチ４４ａ、４４ｂを開放し、かつ開閉スイッチ４０ａ、４０ｂを閉成する。なお、デジタルテレビジョン放送を受信する場合には、利得の調整は行われない。
【００７７】
なお、アンテナ１の指向性を変更するためのデータと、増幅器４２ａの利得を調整するためのデータとは、例えば１４ビットで構成された１つのデータストリーム内に同時に含まれている。チューナ１００からのデータは、同軸ケーブル１２２を介してアンテナ１に供給するように説明したが、アンテナ１にモジュラー１４０を設け、このモジュラー１４０をＣＰＵ１２８に接続し、モジュラー１４０と１０６とをケーブルによって接続することも可能である。
【００７８】
このように受信チャンネルを選択すると、自動的にアンテナ１の指向性及び可変利得増幅器４２ａの利得も、その選択された受信チャンネルに対応したものに自動的になるので、設定作業が非常に容易である。
【００７９】
このような制御を行うためには、メモリ１０４に受信チャンネルと指向性と増幅器４２ａの利得とを対応させて記憶させる必要がある。そのため、チューナ１００では、図１１に示すような処理を行う。なお、このチューナ１００は、アナログテレビジョン放送とデジタルテレビジョン放送双方を受信可能なものである。
【００８０】
まず、自動的に或るチャンネルが信号処理部１０２において選択される（ステップＳ２）。次に、この選択されたチャンネルがアナログテレビジョン放送のチャンネルであるか判断する（ステップＳ４）。
【００８１】
アナログテレビジョン放送の場合、順にこのアンテナ１の指向性が順に変更される（ステップＳ６）。この変更は、信号処理部１０２から指向性変更用のデータを上述したようにしてアンテナ１に対して送信することによって行える。指向性の変更が行われるごとに、受信レベルが信号処理部１０２において測定される（ステップＳ８）。これら測定されたレベルのうちで最大となる指向性の方向が決定される（ステップＳ１０）。信号処理部１０２から上述したようにして、利得調整用のデータが順に変更されて送られ、この決定された方向において受信レベルが順に変更される（ステップＳ１２）。その結果として得られた各受信レベルのうち適正レベルとなるものがあるか判断する（ステップＳ１４）。この判断の結果、適正レベルとなるものがあると、その選択されたチャンネル、決定された指向性の方向及び適正レベルとなる利得を対応させて、メモリ１０４に記憶され（ステップＳ１６）、ステップＳ２が再び実行され、他のチャンネルについても同様に行われる。ステップＳ１４において適正レベルとならないと判断された場合には、この受信チャンネルの受信は不可能であるので、メモリ１０４にはなんら記憶せずに、ステップＳ２を再び実行する。
【００８２】
ステップＳ４において、デジタルテレビジョン放送のチャンネルであると判定されると、ステップＳ６と同様にアンテナ１の指向性が順に変更される（ステップＳ１８）。この指向性が変更されるごとにビットエラーレート（ＢＥＲ）が測定される（ステップＳ２０）。測定された各ビットエラーレートのうち最小のビットエラーレートとなる指向性の方向が決定される（ステップＳ２２）。そして、この最小のビットエラーレートが予め定めた値以上であるか判断する（ステップＳ２４）。最小ビットエラーレートが予め定めた値以上であると、良好にデジタルテレビジョン放送を受信することができないので、メモリ１０４には何ら記憶せず、ステップＳ２を再び実行する。最小ビットエラーレートが予め定めた値よりも小さいと、良好にデジタルテレビジョン放送を受信することができるので、そのチャンネルと方向とを対応させて記憶する。なお、ビットエラーレートを測定する場合でも、増幅器４２ａの利得を調整することも可能である。
【００８３】
このように第２の実施の形態のアンテナシステムでは、受信チャンネルに対応してアンテナの指向性や増幅器４２ａの利得が自動的に調整されるので、受信チャンネルの選択と、アンテナの指向性の調整とを、同時に行うことができ、設定作業が容易になる。
【００８４】
上記の２つの実施の形態では、ＵＨＦ帯及びＶＨＦ帯それぞれにおいて、４本のアンテナを使用して、８つの方向に指向性を変化させたが、使用するアンテナの数を増加させて、これらアンテナを組み合わせることによって、更に多くの方向に指向性を変化させることもできる。第１の実施の形態では、ＵＨＦ帯及びＶＨＦ帯のアンテナの指向性を、今までと反対方向にするために、カウンタ６０に７発のパルスを供給したが、必ずしもこれに限ったものではなく、例えばカウンタ６０を加算及び減算カウンタとして、例えば右回りに指向性を変化させる場合には加算カウンタとして動作させ、左回りに指向性を変化させる場合には減算カウンタとして動作させるように構成することも可能である。第２の実施の形態では、レベル調整手段として、可変利得増幅器４２ａを使用したが、これに代えて可変減衰器を使用することもできる。第２の実施の形態では、チューナ１００とは別にインターフェースカード１０８を設けたが、インターフェースカード１０８をチューナ１００に内蔵させることも可能である。
【００８５】
【発明の効果】
以上のように、本発明によるアンテナシステムによれば、受信しようとする電波に対して最良の指向性にアンテナを速やかに設定することができる。
【図面の簡単な説明】
【図１】本発明の第１の実施の形態のアンテナシステムにおけるアンテナのブロック図である。
【図２】図１のアンテナと同時に使用される遠隔制御器とコントローラ本体とのブロック図である。
【図３】図１のアンテナの指向性が変化する方向を示す図である。
【図４】図１のアンテナシステムの各部の波形図である。
【図５】図１のアンテナの正面図である。
【図６】図５のアンテナの横断正面図、縦断底面図及び縦断側面図である。
【図７】図５のアンテナの部分拡大横断正面図、部分拡大横断底面図及び部分拡大縦断側面図である。
【図８】図１のアンテナに使用されているＵＨＦ帯のアンテナの組み立て図である。
【図９】図１のアンテナに使用されているＶＨＦ帯のアンテナの組み立て図である。
【図１０】本発明の第２の実施の形態のアンテナシステムのブロック図である。
【図１１】図１０のアンテナシステムのチューナ部の動作フローチャートである。
【符号の説明】
１  アンテナ
２  本体
８ａ乃至８ｄ  ＵＨＦ帯アンテナ（第１のアンテナ）
２６ａ乃至２６ｄ  開閉スイッチ（第１の選択手段）
６４ａ  コントローラ本体（制御手段）
６４ｂ  遠隔制御器（制御手段）
８８ａ乃至８８ｄ  押釦スイッチ（操作子）
【図１】
2004173062.tif 000003
【図２】
2004173062.tif 000004
【図３】
2004173062.tif 000005
【図４】
2004173062.tif 000006
【図５】
2004173062.tif 000007
【図６】
2004173062.tif 000008
【図７】
2004173062.tif 000009
【図８】
2004173062.tif 000010
【図９】
2004173062.tif 000011
【図１０】
2004173062.tif 000012
【図１１】
2004173062.tif 000013